(57)【特許請求の範囲】
【請求項１】
リテーナレス・ドアパネル（ＲＬＤＰ）の外周端面に固定される基底部（２１）と、該基底部（２１）からボディパネル（ＢＰ）によって画成されるドア開口部の内周端面に向けて突出した中空状のメインシール部（２３）と、前記基底部（２１）から前記メインシール部（２３）に隣接して前記ドア開口部の内周端縁に向けて突出した第１シールリップ部（２４）と、前記基底部（２１）から前記第１シールリップ部（２４）に隣接して前記リテーナレス・ドアパネル（ＲＬＤＰ）の内側面に向けて突出した第２シールリップ部（２５）とをそれぞれ有し、前記リテーナレス・ドア・パネル（ＲＬＤＰ）の外周端面に沿って装着される、押出成形部（２８）と型成形部（２９）が接合して一体化されたウェザストリップ（２０）において、
前記押出成形部（２８）における前記第２シールリップ部（２５）が、前記基底部（２１）の外底面に連続するアンダーカット部（２５ａ）を有し、該アンダーカット部に第１補助シール部（２６）が配置され、且つ該第１補助シール部は接合する前記型成形部（２９）側の端部の厚さが漸減するように型成形されて成り、更に、前記第１補助シール部（２６）の前記型成形部（２９）側の前記端部の外面が、隣接する前記型成形部（２９）に具備された第２補助シール部（２７）の先端部によってオーバーラップされた状態で、前記基底部（２１）及び前記第２シールリップ部（２５）が、前記リテーナレス・ドアパネル（ＲＬＤＰ）の外周端面に固定されることを特徴とするウェザストリップ。
【請求項２】
前記第１補助シール部（２６）が、エチレンプロピレン・スポンジゴム材から成り、且つその比重を０．１〜０．３とする高発泡スポンジゴム材であり、前記第２補助シール部（２７）が、エチレンプロピレン・スポンジゴム材から成り、且つその厚さを３〜１０ｍｍとするテープ状コーキング・スポンジゴム材であることを特徴とする請求項１に記載のウェザストリップ。
【発明の詳細な説明】
【０００１】
【発明が属する技術分野】
本発明は、車輛のドア外周辺に装着されてドアと車体間を密封するためのウェザストリップに関し、特に、リテーナレス・ドアパネルの外周端面に固定されるウェザストリップに関するものである。
【０００２】
【従来の技術】
近年、車輛、特に乗用車のドアパネルにおいて、その外周端面に横断面形状を略円弧状にプレス加工された一対の係止片を突設して成る所謂リテーナを除去したタイプ、即ちリテーナレス・ドアパネルが採用されている。図４及び図５に示したように、リテーナレス・ドアパネルＲＬＤＰの外周端面の比較的直線的で長い領域には通常、エチレンプロピレンゴム材から成る合成ゴム材及び又は合成樹脂材から押出成形された所謂押出成形ウェザストリップ１８が装着される一方、前記リテーナレス・ドアパネルＲＬＤＰの外周端面の湾曲した比較的短い領域には、その横断面形状が前記押出成形ウェザストリップ１８と比べて若干変形した部位を除き基本的な形状を略同等になるように、エチレンプロピレンゴム材から成る合成ゴム材及び又は合成樹脂材から型成形された所謂型成形ウェザストリップ１９が装着されていた。
【０００３】
なお、押出成形後の前記押出成形ウェザストリップ１８は、その端末部近傍が型成形用金型に挿着され、前記型成形ウェザストリップ１９の型成形に伴って接合部Ｊで両者の一体化が図られていた。更に、前記一体化されたウェザストリップ１０を構成する各部材について詳述すれば以下の通りである。
即ち、前記ウェザストリップ１０は、先ず前記押出成形ウェザストリップ１８の部材として、前記リテーナレス・ドアパネルＲＬＤＰの外周端面に固定される基底部１１と、該基底部１１の一部を画成してウェザストリップの他の部材の弾性を助長させ、また、クリップ部ＣＬの頭部を収容する補助中空部１２から、ボディパネルＢＰによって画成されるドア開口部の内周端面に向けて突出した中空状のメインシール部１３と、前記基底部１１から前記メインシール部１３に隣接して前記ドア開口部の内周端縁に向けて突出した第１シールリップ部１４と、前記基底部１１から前記第１シールリップ部１４に隣接して前記リテーナレス・ドアパネルＲＬＤＰの内側面に向けて突出した第２シールリップ部１５とを具備して成っていた。
【０００４】
また、前記第２シールリップ部１５が、前記リテーナレス・ドアパネルＲＬＤＰの外周端面に対向する前記基底部１１の外底面に連続するアンダーカット部１５ａを凹設し、該アンダーカット部１５ａに第１補助シール部１６を配置して、前記アンダーカット部と一体的に押出成形して成っていた。また、前記型成形ウェザストリップ１９が前記押出成形ウェザストリップ１８と異なった構成を採る点は、型成形の際の中芯を抜く穴（図示省略）が設定されている点と、前記アンダーカット部１５ａ凹設及び前記第１補助シール部１６を配置していない点であった。また、型成形ウェザストリップ１９には、第１補助シール部１６の代わりに、前記基底部１１の外底面の長手方向に沿って第２補助シール部１７を付着していた。
前記第１補助シール部１６は、押出成形ウェザストリップ１８の一部として押出一体成形され、エチレンプロピレン・スポンジゴム材から成り、且つその比重を０．１〜０．３とする高発泡スポンジゴム材であり、前記第２補助シール部１７は、押出成形ウェザストリップ１８と型成形ウェザストリップ１９が一体型成形された後に、別体としてウェザストリップ１０にはりつけられ、エチレンプロピレン・スポンジゴム材から成り、且つその厚さを３〜１０ｍｍとするテープ状コーキング・スポンジゴム材であった。
【０００５】
前記第１補助シール部１６と第１補助シール部１７とは、潜り水Ｗの浸入を防止するために、接合されていることが好ましく、前記第１補助シール部１６及び前記第２補助シール部１７のつなげ方としては以下の方法があげられる。
まず、図６に示すように、前記第１補助シール部１６に対して前記第２補助シール部１７を、断面的に同位置に貼り付け、さらに、前記第２補助シール部１７の端部を、前記第１補助シール部１６端部の真上に乗り上げさせてつなげる方法があげられる。
次に、図７に示すように、前記第１補助シール部１６に対して前記第２補助シール部１７を、断面的に同位置に貼り付け、さらに、前記第２補助シール部１７の端部を、前記第１補助シール部１６端部の直前で終了させる方法があげられる。
最後に、図８に示すように前記第１補助シール部１６に対して前記第２補助シール部１７を、断面的に車内側に、貼り付け、さらに、前記第２補助シール部１７の端部を、前記第１補助シール部１６端部位置より延長させる方法があげられる。
【０００６】
【発明が解決しようとする課題】
しかしながら、従来のウェザストリップ１０は、図６から図８にしめすような前記第１補助シール部１６に対する前記第２補助シール部１７の貼り方をしているために以下のような問題点があった。
【０００７】
すなわち、図６に示す方法では、前記第１補助シール部１６端部と前記第２補助シール部１７との間に隙Ｇが発生し、ドアパネルＲＬＤＰに取り付けた際に潜り水が防止できない。また、図７に示す方法では、前記第１補助シール部１６端部と前記第２補助シール部１７端部との間に隙Ｇが発生し、ドアパネルＲＬＤＰに取り付けた際に潜り水が防止できない。ここで、理論上は、図６と図７の中間的な貼り方として、前記第１補助シール部１６端部に対して前記第２補助シール部１７の間に隙Ｇが発生しないようにはりあわせれば良いのであるが、前記第２補助シール部１７の長さ寸法のバラツキと前記第２補助シール部１７の長手方向の貼り付け位置のバラツキがあるため現実問題としては成立しない。
また、図８に示す方法では、前記第１補助シール部１６端部と前記第２補助シール部１７との間に隙Ｇが発生し、ドアパネルＲＬＤＰに取り付けた際に潜り水が防止できない。
ここでは、理論上は、図６と図８の中間的な貼り方として、前記第１補助シール部１６に対して前記第２補助シール部１７の間に隙Ｇが発生しないようにはりあわせれば良いのであるが、前記第２補助シール部１７の断面方向の取り付け位置のバラツキがあるため現実問題としては成立しない。
【０００８】
本発明は、前述した従来技術の問題点を解消し、極めてコンパクトな構成で優れた密封性を維持可能なウェザストリップを提供することを目的とするものである。
【０００９】
【課題を解決するための手段】
本発明かかる目的は、リテーナレス・ドアパネルの外周端面に固定される基底部と、該基底部からボディパネルによって画成されるドア開口部の内周端面に向けて突出した中空状のメインシール部と、前記基底部から前記メインシール部に隣接して前記ドア開口部の内周端縁に向けて突出した第１シールリップ部と、前記基底部から前記第１シールリップ部に隣接して前記リテーナレス・ドアパネルの内側面に向けて突出した第２シールリップ部とをそれぞれ有し、前記リテーナレス・ドア・パネルの外周端面に沿って装着される、押出成形部と型成形部が接合して一体化されたウェザストリップにおいて、
前記押出成形部における前記第２シールリップ部が、前記基底部の外底面に連続するアンダーカット部を有し、該アンダーカット部に第１補助シール部が配置され、且つ該第１補助シール部は接合する前記型成形部側の端部の厚さが漸減するように型成形されて成り、更に、前記第１補助シール部の前記型成形部側の前記端部の外面が、隣接する前記型成形部に具備された第２補助シール部の先端部によってオーバーラップされた状態で、前記基底部及び前記第２シールリップ部が、前記リテーナレス・ドアパネルの外周端面に固定されることを特徴とするウェザストリップによって達成される。
【００１０】
更に、本発明のかかる目的は、前記第１補助シール部が、エチレンプロピレン・スポンジゴム材から成り、且つその比重を０．１〜０．３とする高発泡スポンジゴム材であり、前記第２補助シール部が、エチレンプロピレン・スポンジゴム材から成り、且つその厚さを３〜１０ｍｍとするテープ状コーキング・スポンジゴム材であることを特徴とするウェザストリップによって達成される。
【００１１】
【作用】
本発明のウェザストリップは、リテーナレス・ドアパネルの外周端面に固定される基底部と、該基底部からボディパネルによって画成されるドア開口部の内周端面に向けて突出した中空状のメインシール部と、前記基底部から前記メインシール部に隣接して前記ドア開口部の内周端縁に向けて突出した第１シールリップ部と、前記基底部から前記第１シールリップ部に隣接して前記リテーナレス・ドアパネルの内側面に向けて突出した第２シールリップ部とをそれぞれ有し、前記リテーナレス・ドア・パネルの外周端面に沿って装着される、押出成形部と型成形部が接合して一体化されたウェザストリップにおいて、前記押出成形部における前記第２シールリップ部が、前記基底部の外底面に連続するアンダーカット部を有し、該アンダーカット部に第１補助シール部が配置され、且つ該第１補助シール部は接合する前記型成形部側の端部の厚さが漸減するように型成形されて成り、更に、前記第１補助シール部の前記型成形部側の前記端部の外面が、隣接する前記型成形部に具備された第２補助シール部の先端部によってオーバーラップされた状態で、前記基底部及び前記第２シールリップ部が、前記リテーナレス・ドアパネルの外周端面に固定されるので、前記第２補助シール部が、前記第１補助シール部の存在しない箇所のシールを補完し、且つ前記リテーナレス・ドアパネルの外周端面との段差を前記第１補助シール部の後端部の漸減する厚さによって小さく保ち、その結果、前記基底部周りの密封性を適正に維持する。
【００１２】
更に、本発明のウェザストリップは、前記第１補助シール部が、エチレンプロピレン・スポンジゴム材から成り、且つその比重を０．１〜０．３とする高発泡スポンジゴム材であり、前記第２補助シール部が、エチレンプロピレン・スポンジゴム材から成り、且つその厚さを３〜１０ｍｍとするテープ状コーキング・スポンジゴム材であるので、前記第２補助シール部が、前記第１補助シール部とのつなぎ合わせ部分の隙Ｇを一層効果的に吸収、補完し、且つ前記リテーナレス・ドアパネルの外周端面との段差を一層小さく保つ。
【００１３】
【発明の実施の形態】
本発明のウェザストリップの一実施態様について、添付した図面に基づき以下に詳述する。図１はリテーナレス・ドアパネルの外周端面に装着されてドア閉止状態下にある本発明のウェザストリップ要部を示す横断面図、図２はリテーナレス・ドアパネルの外周端面に装着されてドア閉止状態下にある本発明のウェザストリップの要部を一部破断して示す斜視図、更に図３は本発明のウェザストリップの型成形時の要部を一部破断して示す斜視図である。
図２に示したように、リテーナレス・ドアパネルＲＬＤＰの外周端面の比較的直線的で長い領域には通常、エチレンプロピレンゴム材から成る合成ゴム材及び又は合成樹脂材から押出成形された所謂押出成形ウェザストリップ２８が装着される一方、前記リテーナレス・ドアパネルＲＬＤＰの外周端面の湾曲し比較的短い領域には、その横断面形状が前記押出成形ウェザストリップ２８のそれと比べて若干変形した部位を除き基本的な形状を略同等になるように、エチレンプロピレンゴム材から成る合成ゴム材及び又は合成樹脂材から型成形された所謂型成形ウェザストリップ２９が装着される。
【００１４】
なお、押出成形後の前記押出成形ウェザストリップ２８は、図３に示したように、その端末部近傍が型成形用金型ＭＤに挿着され、前記型成形ウェザストリップ２９の型成形に伴って接合部Ｊで両者の一体化が図られる。更に、前記一体化されたウェザストリップ２０を構成する各部材について詳述すれば以下の通りである。  即ち、前記ウェザストリップ２０は、先ず前記押出成形ウェザストリップ２８部材として、前記リテーナレス・ドアパネルＲＬＤＰの外周端面に固定される基底部２１と、該基底部２１の一部を画成してウェザストリップの他の部材の弾性を助長させ、また、クリップ部ＣＬの頭部を収容する補助中空部２２から、ボディパネルＢＰによって画成されるドア開口部の内周端面に向けて突出した中空状のメインシール部２３と、前記基底部２１から前記メインシール部２３に隣接して前記ドア開口部の内周端縁に向けて突出した第１シールリップ部２４と、前記基底部２１から前記第１シールリップ部２４に隣接して前記リテーナレス・ドアパネルＲＬＤＰの内側面に向けて突出した第２シールリップ部２５とを具備して成る。
【００１５】
また、前記第２シールリップ部２５が、前記リテーナレス・ドアパネルＲＬＤＰの外周端面に対向する前記基底部２１の外底面に連続するアンダーカット部２５ａを凹設し、図３に示したように、該アンダーカット部２５ａに第１補助シール部２６を配置し、前記アンダーカット部２５ａと一体的に押出成形して成っている。また、前記型成形ウェザストリップ２９が前記押出成形ウェザストリップ２８と異なった構成を採る点は、型成形の際の中芯を抜く穴（図示省略）が設定されている点と、前記アンダーカット部２５ａ凹設及び前記第１補助シール部２６を配置していない点である。また、前記型成形ウェザストリップ２９には、第１補助シール部２６の代わりに、前記基底部２１の外底面の長手方向に沿って第２補助シール部２７を付着している。
また、第１補助シール部２６の後端部の厚さが漸減するような徐変深さを有する前記金型ＭＤ用いて第１補助シール部２６の後端部の厚さを漸減させている。前記第１補助シール部２６は、押出成形ウェザストリップ２８の一部として押出一体成形され、エチレンプロピレン・スポンジゴム材から成り、且つその比重を０．１〜０．３とする高発泡スポンジゴム材であり、前記第２補助シール部２７は、押出成形ウェザストリップ２８と型成形ウェザストリップ２９が一体型成形された後、別体としてウェザストリップ２０にはりつけられ、エチレンプロピレン・スポンジゴム材から成り、且つその厚さを３〜１０ｍｍとするテープ状コーキング・スポンジゴム材である。
【００１６】
なお、前記第２補助シール部２７は、前記第１補助シール部２６の存在しない箇所のシールを補完し、且つ前記リテーナレス・ドアパネルＲＬＤＰの前記外周端面との段差を、前記第１補助シール部２６の後端部の漸減する厚さによって小さく保ち、その結果、前記基底部２１周り図１〜図３に示したように、最悪の場合でも前記アンダーカット部２５ａと前記リテーナレス・ドアパネルＲＬＤＰの前記内側面との間までの前記潜り水Ｗの浸入を許容するだけである。
【００１７】
【発明の効果】
以上、記述した本発明のウェザストリップは、以下に記すような新規な効果を奏するものである。即ち、本発明のウェザストリップは、リテーナレス・ドアパネルの外周端面に固定される基底部と、該基底部からボディパネルによって画成されるドア開口部の内周端面に向けて突出した中空状のメインシール部と、前記基底部から前記メインシール部に隣接して前記ドア開口部の内周端縁に向けて突出した第１シールリップ部と、前記基底部から前記第１シールリップ部に隣接して前記リテーナレス・ドアパネルの内側面に向けて突出した第２シールリップ部とをそれぞれ有し、前記リテーナレス・ドア・パネルの外周端面に沿って装着される、押出成形部と型成形部が接合して一体化されたウェザストリップにおいて、前記押出成形部における前記第２シールリップ部が、前記基底部の外底面に連続するアンダーカット部を有し、該アンダーカット部に第１補助シール部が配置され、且つ該第１補助シール部は接合する前記型成形部側の端部の厚さが漸減するように型成形されて成り、更に、前記第１補助シール部の前記型成形部側の前記端部の外面が、隣接する前記型成形部に具備された第２補助シール部の先端部によってオーバーラップされた状態で、前記基底部及び前記第２シールリップ部が、前記リテーナレス・ドアパネルの外周端面に固定されるので、前記第２補助シール部は、前記第１補助シール部の存在しない箇所のシールを補完し、且つ前記リテーナレス・ドアパネルの外周端面との段差を前記第１補助シール部の後端部の漸減する厚さによって小さく保ち、その結果、前記基底部周りの密封性を適正に維持することが可能になった。
【００１８】
更に、本発明のウェザストリップは、前記第１補助シール部が、エチレンプロピレン・スポンジゴム材から成り、且つその比重を０．１〜０．３とする高発泡スポンジゴム材であり、前記第２補助シール部が、エチレンプロピレン・スポンジゴム材から成り、且つその厚さを３〜１０ｍｍとするテープ状コーキング・スポンジゴム材であるので、前記第２補助シール部は、前記第１補助シール部とのつなぎ合わせ部分の隙Ｇを一層効果的に吸収、補完し、且つ前記リテーナレス・ドアパネルの外周端面との段差を一層小さく保つことが可能になった。
【図面の簡単な説明】
【図１】リテーナレス・ドアパネルの外周端面に装着されてドア閉止状態下にある本発明のウェザストリップ要部を示す横断面図である。
【図２】リテーナレス・ドアパネルの外周端面に装着されてドア閉止状態下にある本発明のウェザストリップの要部を一部破断して示す斜視図である。
【図３】装着後のドア閉止状態下の本発明のウェザストリップの要部を示す横断面図である。
【図４】リテーナレス・ドアパネルの外周端面に装着されてドア閉止状態下にある従来のウェザストリップ要部を示す横断面図である。
【図５】リテーナレス・ドアパネルの外周端面に装着されてドア閉止状態下にある従来のウェザストリップの要部を一部破断して示す斜視図である。
【図６】従来のウェザストリップの第１補助シール部と第２補助シール部のつなぎ方の１例を示した斜視図である。
【図７】従来のウェザストリップの第１補助シール部と第２補助シール部のつなぎ方の別の例を示した斜視図である。
【図８】従来のウェザストリップの第１補助シール部と第２補助シール部のつなぎ方のさらに別の例を示した斜視図である。
【図９】本発明のウェザストリップの第１補助シール部と第２補助シール部のつなぎ方を示した斜視図である。
【符号の説明】
１０      従来のウェザストリップ
１１      基底部
１２      補助中空部
１３      メインシール部
１４      第１シールリップ部
１５      第２シールリップ部
１５ａ    アンダーカット部
１６      第１補助シール部
１７      第２補助シール部
１８      押出成形ウェザストリップ
１９      型成形ウェザストリップ
ＲＬＤＰ  リテーナレス・ドアパネル
ＢＰ      ボディパネル
Ｗ        潜り水
ＣＬ      クリップ部
Ｊ        接合部
２０      本発明のウェザストリップ
２１      基底部
２２      補助中空部
２３      中空状のメインシール部
２４      第１シールリップ部
２５      第２シールリップ部
２５ａ    アンダーカット部
２６      第１補助シール部
２７      第２補助シール部
２８      押出成形ウェザストリップ
２９      型成形ウェザストリップ
ＭＤ      型成形用金型
【図１】
0004274676.tif 000002
【図２】
0004274676.tif 000003
【図３】
0004274676.tif 000004
【図４】
0004274676.tif 000005
【図５】
0004274676.tif 000006
【図６】
0004274676.tif 000007
【図７】
0004274676.tif 000008
【図８】
0004274676.tif 000009
【図９】
0004274676.tif 000010